(57)【要約】【課題】組合方式が簡単になり、シャッターの移動量を所定の範囲内に制限する光コネクタのソケットを提供する。【解決手段】光コネクタのソケットコネクタは、プラグを挿入するための開口部が形成されるハウジングと、ハウジングに保持される光素子と、ハウジングの開口部に組み込まれ、ハウジングに回動自由に支持されるヒンジ軸を有するシャッターと、シャッターを開口部の閉じた状態に維持させるバネ部材とを含む。前記ハウジングの底板の各側壁に隣接する箇所には切欠き部がそれぞれ貫通するように形成され、該切欠き部に対応する側壁には、前記シャッターのヒンジ軸を回動自由に支持するための軸受部がそれぞれ形成され、前記シャッターが開口部に装着される際に、各側壁が外方向きに弾性的な変形を拡張させると、ヒンジ軸が軸受部に支持された状態までに両側壁が初期状態に回復している。【選択図】図５
0003144805.tif 000002
【実用新案登録請求の範囲】
【請求項１】
先端壁と、前記先端壁と直交するように連接される天板、底板と、両側壁とを有し、前記天板、底板及び両側壁によりプラグを挿入するための開口部が形成され、前記先端壁には前記開口部に連通するようにプラグの挿入をガイドするための挿入口が形成されるハウジングと、
前記ハウジングに保持される光素子と、
前記ハウジングの開口部に組み込まれ、前記ハウジングに回動自由に支持されるヒンジ軸を有する板状を呈するシャッターと、
前記シャッターを前記ハウジングの開口部の閉じた状態で維持させるバネ部材と
を含む光コネクタのソケットにおいて、
前記ハウジングの底板の各側壁に隣接する箇所には切欠き部がそれぞれ貫通するように形成され、該切欠き部に対応する側壁には、前記シャッターのヒンジ軸を回動自由に支持するための軸受部がそれぞれ形成され、
前記シャッターが前記開口部に装着される際に、前記各側壁が外方向きに弾性的な変形を拡張させると、ヒンジ軸が軸受部に支持された状態までに両側壁が初期状態に回復していることを特徴とする光コネクタのソケット。
【請求項２】
前記シャッターのヒンジ軸には、前記ハウジングの側壁に当接することによって、シャッターの左右方向での移動量を所定の範囲内に制限するための膨出部が一体に外装されることを特徴とする請求項１に記載の光コネクタのソケット。
【請求項３】
前記側壁には前記切欠き部に貫通するガイド溝が凹んで形成され、前記軸受部が前記ガイド溝に形成され、前記シャッターのヒンジ軸には前記ガイド溝に収容される補強部が形成され、前記ヒンジ軸、補強部、膨出部は、直径が順に増大するように一体に形成されることを特徴とする請求項２に記載の光コネクタのソケット。
【請求項４】
前記シャッターのヒンジ軸の末端には、ヒンジ軸を前記側壁のガイド溝にガイドするための面取り部がそれぞれ形成されることを特徴とする請求項１乃至３の何れかの一項に記載の光コネクタのソケット。
【考案の詳細な説明】
【技術分野】
【０００１】
本考案は、光コネクタのソケットに関して、特に、シャッターを組合する光コネクタのソケットに関するものである。
【背景技術】
【０００２】
この種の光コネクタのソケットは、そのプラグ挿入孔に光コネクタのプラグを挿入することにより、前者に保持されている受光素子又は発光素子とプラグとの光学的接続を行い、光信号の伝達を可能とすることにより所期の目的を達するものであるが、プラグが挿入されていないとき、即ち、その不使用時にプラグ挿入孔をどのようにして閉じるかが当初からの問題であった。
【０００３】
不使用時にプラグ挿入孔を開口したままに放置すれば、その内部への埃その他の異物の侵入は避けられず、いずれ内部に保持されている光素子に汚れが付着し、光伝達効率の低下を招き、ついには所定の光信号伝達が不能となる虞がある。そのため、当初、該プラグ挿入孔には保護キャップを挿入することにより閉塞する構成が採用された。しかし不使用時に該開口部を保護キャップで閉じれば、上記の虞は解消されるものの光コネクタのプラグを挿入する際には当然保護キャップを抜き取らなければならないし、プラグを抜いた後には保護キャップを再度挿入しなければならない。そのため、操作がなかなか厄介になることやプラグ挿入時の保護キャップの保管の問題等もあって、その後、これに代えてプラグ挿入孔の開口部に開閉自在なシャッターを配する構成が採用された。
【０００４】
従来技術の光コネクタのソケットは、特許文献１を参照すると、プラグを挿入するための開口部を有するハウジングと、ハウジングに保持された光素子と、開口部に組合した埃等の侵入を防止する手段としてのシャッターと、シャッターを開口部の閉じる状態に維持するためのバネ部材と、シャッター及びバネ部材がハウジングに保持されるための位置決め板と、を含む。シャッターの両端にはハウジングに回動自由に支持されるヒンジ軸がそれぞれ形成され、ハウジングは開口部の両側に形成される両側壁を有し、両側壁の頂部には前記ヒンジ軸を回動自由に支持するための軸受部が窪んで形成され、各軸受部の上部が開放されている。取付けた時に、シャッターのヒンジ軸がハウジングの軸受部に支持され、最後に、前記位置決め板がハウジングに取付けられ、位置決め板によりシャッターとバネ部材はハウジングの軸受部に位置決めされている。
【特許文献１】中国実用新案第２６６７５１２号明細書
【考案の開示】
【考案が解決しようとする課題】
【０００５】
特許文献１に掲示された光コネクタのソケットには、シャッターが位置決め板によりハウジングに安定するように組合され、部品点数が増加になり、且つ組合方式が複雑で、生産効率が低減された問題があった。また、シャッターのヒンジ軸がハウジングの軸受部に回動自由に支持されるが、左右方向での移動を制限する構造が設置されないので、シャッターの回動する過程において、シャッターが左右方向での移動を生じる可能性を有するので、光コネクタのソケットの使用に影響する恐れがあった。上述した欠点に鑑みて、新型の光コネクタのソケットを開発することが必要である。
【０００６】
本考案は、前記の問題点を鑑みなされたもので、組合方式が簡単になり、シャッターの移動量が所定の範囲内に制限される光コネクタのソケットを提供することを目的とする。
【課題を解決するための手段】
【０００７】
本考案の請求項１に係る光コネクタのソケットコネクタは、先端壁と、前記先端壁と直交するように連接される天板、底板と、両側壁とを有し、前記天板、底板及び両側壁によりプラグを挿入するための開口部が形成され、前記先端壁には前記開口部に連通するようにプラグの挿入をガイドするための挿入口が形成されるハウジングと、前記ハウジングに保持される光素子と、前記ハウジングの開口部に組み込まれ、前記ハウジングに回動自由に支持されるヒンジ軸を有する板状を呈するシャッターと、前記シャッターを前記ハウジングの開口部の閉じた状態で維持させるバネ部材とを含む光コネクタのソケットにおいて、前記ハウジングの底板の各側壁に隣接する箇所には切欠き部がそれぞれ貫通するように形成され、該切欠き部に対応する側壁には、前記シャッターのヒンジ軸を回動自由に支持するための軸受部がそれぞれ形成され、前記シャッターが前記開口部に装着される際に、前記各側壁が外方向きに弾性的な変形を拡張させると、ヒンジ軸が軸受部に支持された状態までに両側壁が初期状態に回復している。
【０００８】
本考案の請求項１に係る光コネクタのソケットコネクタにおいて、前記シャッターのヒンジ軸には、前記ハウジングの側壁に当接することによって、シャッターの左右方向での移動量を所定の範囲内に制限するための膨出部が一体に外装される。
【０００９】
本考案の請求項２に係る光コネクタのソケットコネクタにおいて、前記側壁には前記切欠き部に貫通するガイド溝が凹んで形成され、前記軸受部が前記ガイド溝に形成され、前記シャッターのヒンジ軸には前記ガイド溝に収容される補強部が形成され、前記ヒンジ軸、補強部、膨出部は、直径が順に増大するように一体に形成される。
【００１０】
本考案の請求項１乃至３の何れかの一項に係る光コネクタのソケットコネクタにおいて、前記シャッターのヒンジ軸の末端には、ヒンジ軸を前記側壁のガイド溝にガイドするための面取り部がそれぞれ形成される。
【考案の効果】
【００１１】
従来技術に比べ、本考案は以下の利点を有し、前記両側壁は切欠き部により片持ち状を呈するように配置され、弾性的に変形できる。これによって、従来技術に較べて、部品点数が低減され、組付方式が簡単になる。シャッター４がヒンジ軸の膨出部により、左右方向での移動量が所定の範囲内に制限され、ヒンジ軸が軸受部から外れることを防止できる。
【考案を実施するための最良の形態】
【００１２】
以下、図１〜図８を参照し、本考案の光コネクタのソケットの好ましい実施形態について、添付図面を参照して説明する。該光コネクタのソケット１００は、プラグ（図示せず）を挿入するための開口部１４を設けられるハウジング１と、ハウジング１に保持される光素子２と、ハウジング１に組み込まれる、埃等の侵入を防止する手段としてのシャッター４と、シャッター４が開口部１４の閉じた状態で維持させるバネ部材３と、を有する。
【００１３】
ハウジング１は、プラグを挿入するための前記開口部１４に連通する挿入口１０１が形成される先端壁１０と、先端壁１０と直交するように連接される天板１１、底板１２と、両側壁１３とを有し、前記開口部１３が天板１１、底板１２、両側壁１３により形成される。挿入口１０１の左右側にはプラグのガイド用突条（図示せず）と嵌合して正確に該プラグを所定の位置まで案内できるようにするためのガイド凹部１０２が形成され、天板１１にはプラグを所定の位置に位置決めするための開口部１４に連通する位置決め孔１１１が設けられる。底板１２にはプラグの挿入方向に平行に延出するように形成される取付溝１４１が形成され、該取付溝１４１と開口部１４の間にはバネ部材３が取付溝１４１に押圧して保持されるための押圧板１４２が形成され、底板１２の先端面に隣接する両端部には当接凸部１４３がそれぞれ形成され、本実施状態において、前記取付溝１４１が開口部１４に部分に連通している。
【００１４】
ハウジング１の後端には光素子２を収容するための収容空間１５が形成され、ハウジング１の後壁に収容空間１５に突出し形成された係合部１６により光素子２が収容空間１５に保持され、収容空間１５と開口部１４の間に形成された隔離壁１７には、収容空間１５と開口部１４を連通するための通孔１４４が貫通するように設けられ、プラグの光素子（図示せず）は通孔１４４を介して光素子２との間に光信号を伝送することを実現している。
【００１５】
バネ部材３は、ハウジング１の取付溝１４１に保持され、コイル状に形成された両バネ本体３１と、両バネ本体３１の一側を連接するためのＵ字形状を呈する保持部３２と、両バネ本体３１の他側から外方へそれぞれ延出するように形成されたＬ字形状を呈するためのスライド部３３と、を有し、バネ部材３をハウジング１に組み込む時に、保持部３２がハウジング１の取付溝１４１に収容され保持されることにより、保持部３２の上向きの移動が制限される。一対のスライド部３３がハウジング１の一対の当接凸部１４３にそれぞれ当接することによって、バネ部材３の左右方向への移動が制限される。
【００１６】
シャッター４は、基本的に、板状のシャッター本体４０と、シャッター本体４０の一端に連接して、シャッター本体４０より厚みのある基部４５と、シャッター本体４０の裏側に形成された一対の平行なスライド溝４１と、シャッター本体４０の他端に隣接する両側部にそれぞれ形成された直角状を呈する被当接部４６とを含み、シャッター本体４０と基部４５に連接した箇所の両側にはヒンジ軸４２をそれぞれ突出するように形成され、各ヒンジ軸４２には、シャッター本体４０と基部４５に連接する膨出部４３と、膨出部４３２に連接して膨出部４３との間に段差を有する補強部４４を設け、前記ヒンジ軸４２、補強部４４、膨出部４３は、直径が順に増大している。各ヒンジ軸４２の自由端には面取り部４２１がそれぞれ形成される。
【００１７】
ハウジング１の両側壁１３の裏側には、後方から前向きに延出するように形成される溝部１３１がそれぞれ形成され、該溝部１３１が先端壁１０を貫通せず、先端壁１０に連接した箇所にはシャッター４の被当接部４６に当接するための当接部１０３が形成され、シャッター４の被当接部４６とハウジング１の当接部１０３に当接することにより、シャッター４の挿入口１０１の外方への回動が制限される。該溝部１３１が先端壁１０と側壁１３を貫通せず、シャッター４の回動する際の作用力が当接部１０３を完全に受けず側壁１３も部分の作用力を同時に分担でき、ハウジング１の損害を防止できる。
【００１８】
ハウジング１の両側壁１３の下端には、シャッター４の開口部１４に組み込むことをガイドするためのガイド溝１３２がそれぞれ形成され、該ガイド溝１３２が底板１２を貫通している。ガイド溝１３２に対応する側壁１３には、シャッター４のヒンジ軸４２を回動自由に支持する軸受部１３３が貫通するように形成される。ハウジング１の各当接凸部１４３と側壁１３の間には底板１２を貫通する切欠き部１２１がそれぞれ形成され、切欠き部１２１が底板１２の先端から後向きに延出するように形成される。両側壁１３は切欠き部１２１により片持ち状を呈するように配置され、弾性的に変形できる。
【００１９】
前記シャッター４をハウジング１の開口部１４に組み込む時に、ヒンジ軸４２の面取り部４２１に前記各側壁１３を外方向きに弾性的に拡張させ、シャッター４のヒンジ軸４２が前記軸受部１３３に装着されるまでに側壁１３が初期状態に回復することによって、シャッター４が安定にハウジング１に保持される。このとき、前記補強部４４がガイド溝１３２に収容され、該補強部４４によりヒンジ軸４２が裂けることを防止できる。膨出部４３は、両側壁１３に隣接するように位置するのでシャッター４が左右方向での移動を生じる際に両側壁１３に当接することによって、シャッター４の左右方向での移動量が所定の範囲内に制限される。バネ部材３のスライド部３３がシャッター４のスライド溝４１に沿ってスライドするように当接することで、バネ部材３の作用によりシャッター４は開口部１４の閉じた状態を維持している。シャッター４の被当接部４６がハウジング１の当接部１０３に当接することによって、シャッター４の挿入口１０１の外方への回動が制限される。
【００２０】
前記両側壁１３は切欠き部１２１により片持ち状を呈するように配置され、弾性的に変形できる。これによって、従来技術に較べて、部品点数が低減され、組付方式が簡単になる。シャッター４がヒンジ軸４２の膨出部４３により、左右方向での移動量が所定の範囲内に制限され、ヒンジ軸４２が軸受部１３３から外れることを防止できる。
【００２１】
バネ部材３が直ちに取付溝１４１に装着されるので、従来技術に較べて、取付方式が簡単になり、組合効率が向上になり、製造コストが低減される。
【００２２】
光コネクタのソケット１００は、ハウジング１の底板１２から下向きに延出するように形成された取付部１２２によって回路基板に実装される。プラグを挿入口１０１から開口部１４に挿入すると、その先端に押されてシャッター本体４０はそのヒンジ軸４２を中心に回動し、該プラグの挿入距離に応じた状態間で開くこととなる。このようにシャッター本体４０が押されてバネ部材３のスライド部３３はシャッター４のスライド溝４１に沿って後方に向かってスライド移動させられる。プラグを開口部１４に挿入完了状態にすると、シャッター本体４０はプラグと平行な状態にまで回動している。プラグを開口部１４から抜き取る場合は、シャッター本体４は、バネ部材の弾性により、シャッター４の被当接部４６とハウジング１の当接部１０３に当接する状態まで挿入口側へ自動復帰する。
【００２３】
以上本考案について最良の実施の形態を参照して詳細に説明したが、実施形態はあくまでも例示的なものであり、これらに限定されるものではない。また上述の説明は、本考案に基づきなしうる細部の修正或は変更など、いずれも本考案の請求範囲に属するものとする。
【図面の簡単な説明】
【００２４】
【図１】本考案に係る光コネクタのソケットの組立斜視図である。
【図２】図１に示す光コネクタのソケットの他の角度から見た斜視図である。
【図３】本考案に係る光コネクタのソケットの分解斜視図である。
【図４】図３に示す光コネクタのソケットの他の角度から見た分解斜視図である。
【図５】本考案に係る光コネクタのソケットのシャッターを外した組立斜視図である。
【図６】図３に示す光コネクタのソケットのハウジングのA-A線に沿った断面図である。
【図７】本考案に係る光コネクタのソケットの底面図である。
【図８】本考案に係る光コネクタのソケットのシャッターの斜視図である。
【符号の説明】
【００２５】
１００  光コネクタのソケット
１  ハウジング
１０  先端面
１１  天板
１２  底板
１３  側壁
１４  開口部
１５  収容空間
１６  係合部
１７  隔離壁
１０１  挿入口
１０２  ガイド凹部
１０３  当接部
１１１  位置決め孔
１２１  切欠き部
１２２  取付部
１３１  溝部
１３２  ガイド溝
１３３  軸受部
１４１  取付溝
１４２  押圧板
１４３  当接凸部
１４４  通孔
２  光素子
３  バネ部材
３１  バネ本体
３２  保持部
３３  固持部
４  シャッター
４０  シャッター本体
４１  スライド溝
４２  ヒンジ軸
４３  膨出部
４４  補強部
４５  基部
４６  被当接部
４２１  面取り部
【図１】
0003144805.tif 000003
【図２】
0003144805.tif 000004
【図３】
0003144805.tif 000005
【図４】
0003144805.tif 000006
【図５】
0003144805.tif 000007
【図６】
0003144805.tif 000008
【図７】
0003144805.tif 000009
【図８】
0003144805.tif 000010